【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
光学システムであって、
第１のレンズと、
第２のレンズであって、前記第１のレンズ及び前記第２のレンズの少なくとも一方が、相互に直交する２つの方向で屈折力を有する、第２のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記光学システムは、光軸を有し、前記光軸に沿って伝播する光線が、実質的に屈折することなく、前記第１のレンズ、前記第２のレンズ、前記部分反射体、及び前記反射偏光子を通過し、前記光学システムは、前記光学システムに入射し、かつ前記光軸と、より小さい第１の入射角を成している光線に関しては、前記光軸に対して回転対称であるが、より大きい第２の入射角を成している光線に関しては、回転対称ではなく、前記第１の入射角及び前記第２の入射角のそれぞれに関して、複数の入射光線が、前記第１のレンズ、前記第２のレンズ、前記部分反射体、及び前記反射偏光子を通過する、光学システム。
【請求項２】
観察者の目によって見られるための画像を放出するディスプレイを更に備え、前記ディスプレイによって発光され、前記光軸に沿って伝播する第１の画像光線が、実質的に屈折することなく、前記第１のレンズ、前記部分反射体、及び前記反射偏光子を通過して、前記観察者の前記目の瞳孔を通過し、前記ディスプレイによって発光され、かつ前記光軸と第１の斜角を成している、少なくとも１つの第２の画像光線が、頭蓋顔面人体測定規範データから定義される平均的な人の顔面を有する前記観察者について、前記少なくとも１つの第２の画像光線と一致する直線が前記観察者の顔面特徴部に交点で交差するように、前記第１のレンズ、前記部分反射体、前記反射偏光子を通過して、前記観察者の前記目の前記瞳孔を通過し、前記ディスプレイが、前記交点と前記観察者の前記目との間に配設されている、請求項１に記載の光学システム。
【請求項３】
光学システムであって、
第１のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記光学システムは、光軸を有し、前記光軸に沿って伝播する光線が、実質的に屈折することなく、前記第１のレンズ、前記部分反射体、及び前記反射偏光子を通過し、
前記第１のレンズが、それぞれ異なる第１の式及び第２の式によって定義された、両側にある第１主表面及び第２主表面を有し、各式が、前記光軸に対して回転対称であるが、各主表面は、前記光軸に対して回転対称ではない、光学システム。
【請求項４】
光学システムであって、
第１のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記光学システムは、光軸を有し、前記光軸に沿って伝播する光線が、実質的に屈折することなく、前記第１のレンズ、前記部分反射体、及び前記反射偏光子を通過し、
前記第１のレンズが、両側にある第１主表面及び第２主表面を有し、各主表面が、第１の式によって定義された第１部分と、異なる第２の式によって定義された、前記第１部分に隣接する第２部分とを有し、各主表面に関する前記第１の式及び前記第２の式が、前記光軸に対して回転対称であり、前記第１の式及び前記第２の式は、動径座標の２０乗を超える項を含まない、互いに異なる非球面多項サグ式である、光学システム。
【請求項５】
観察者に画像を表示するための光学システムであって、
相互に直交する２つの方向で屈折力を有する、第１のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記第１のレンズが、観察者の目に隣接して配置され、かつ前記観察者の顔面に実質的に整合するように適合されている、輪郭成形縁部を有する、光学システム。
【請求項６】
ヘッドマウント式ディスプレイシステムであって、
観察者の目によって見られるための画像を放出するディスプレイと、
第１のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記光学システムは、光軸を有し、
前記ディスプレイによって発光され、前記光軸に沿って伝播する第１の画像光線が、実質的に屈折することなく、前記第１のレンズ、前記部分反射体、及び前記反射偏光子を通過して、前記観察者の前記目の瞳孔を通過し、
前記ディスプレイによって発光され、かつ前記光軸と第１の斜角を成している、少なくとも１つの第２の画像光線が、頭蓋顔面人体測定規範データから定義される平均的な人の顔面を有する前記観察者について、前記少なくとも１つの第２の画像光線と一致する直線が前記観察者の顔面特徴部に交点で交差するように、前記第１のレンズ、前記部分反射体、前記反射偏光子を通過して、前記観察者の前記目の前記瞳孔を通過し、前記ディスプレイが、前記交点と前記観察者の前記目との間に配設されている、ヘッドマウント式ディスプレイシステム。
【請求項７】
光学システムであって、
第１のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記光学システムは、光軸を有し、前記光軸に沿って伝播する光線が、実質的に屈折することなく、前記第１のレンズ、前記部分反射体、及び前記反射偏光子を通過し、
前記光学システムの少なくとも１つの主表面に関しては、前記主表面が、前記光軸に対して回転対称である表面部分を有さない、光学システム。
【請求項８】
カスタム光学積層体の作製方法であって、
観察者の顔面輪郭を測定することと、
第１のレンズを提供することであって、前記第１のレンズが、前記観察者の目に隣接して配置され、かつ前記観察者の前記測定された顔面輪郭に実質的に整合するように適合されている、輪郭成形縁部を有する、ことと、を含み、
前記光学積層体が、第１の偏光状態を有する光を実質的に透過し、直交する第２の偏光状態を有する光を実質的に反射する、反射偏光子を備え、前記反射偏光子が、前記第１のレンズの主表面上に配設されている、方法。
【請求項９】
光学システムであって、
第１のレンズと、
少なくとも１つの所望の波長に関して少なくとも３０％の平均光反射率を有する、部分反射体と、
第１の偏光状態を有する光を実質的に透過し、直交する第２の偏光状態を有する光を実質的に反射する、反射偏光子と、を備え、
前記光学システムの少なくとも１つの主表面に関しては、最小２乗適合を使用して、前記少なくとも１つの主表面に適合された、任意のｎ次多項式（ｎはゼロよりも大きい）との間の最大相関係数が、０．９５未満である、光学システム。
【請求項１０】
両側にある第１主表面及び第２主表面を有するレンズ基材と、前記第１主表面及び前記第２主表面の一方の上に配設された、異方性の機械的特性を有するフィルムとを備える、レンズであって、前記フィルムが、前記レンズ基材の長軸と所定の方式で位置合わせされた、フィルム軸を有し、前記レンズが、相互に直交する２つの方向で屈折力を有し、前記レンズが、いずれの軸に対しても回転対称ではない、レンズと、
少なくとも１つの所望の波長に関して少なくとも３０％の平均光反射率を有する、部分
反射体と、を備える光学システムであって、
該光学システムは、光軸を有し、該光軸に沿って伝播する光線が、実質的に屈折することなく、前記レンズ及び前記部分反射体を通過する、
光学システム。
【請求項１１】
前記フィルムが反射偏光子であり、前記フィルム軸が、前記反射偏光子の通過軸又は遮断軸である、請求項１０に記載の光学システム。
【請求項１２】
レンズ基材と、前記レンズ基材の主表面上に配設された、異方性の機械的特性を有するフィルムとを備える、レンズであって、前記レンズは、主軸を有し、前記主表面が、前記主軸から第１の方向の第１の半径で、第１の最大サグを有し、前記主軸から第２の方向の第２の半径で、第２の最大サグを有し、前記第１の方向が、前記主軸に直交する第１の軸に沿うものであり、前記第２の方向が、前記主軸及び前記第１の軸の双方に直交する、第２の軸に沿うものであり、前記第１の半径に対する前記第１の最大サグの第１の比率が、前記第２の半径に対する前記第２の最大サグの第２の比率の、少なくとも１．０５倍であり、前記第２の比率が、少なくとも０．１であり、前記フィルムが、前記第１の軸又は前記第２の軸に対して所定の方式で位置合わせされた、フィルム軸を有する、レンズと、
少なくとも１つの所望の波長に関して少なくとも３０％の平均光反射率を有する、部分
反射体と、を備える光学システムであって、
該光学システムは、光軸を有し、該光軸に沿って伝播する光線が、実質的に屈折することなく、前記レンズ及び前記部分反射体を通過する、
光学システム。
【請求項１３】
レンズ基材と前記レンズ基材の主面上に配置された成形光学フィルムとを備えるレンズと、
少なくとも１つの所望の波長に関して少なくとも３０％の平均光反射率を有する、部分
反射体と、を備える光学システムであって、
該光学システムは、光軸を有し、該光軸に沿って伝播する光線が、実質的に屈折することなく、前記レンズ及び前記部分反射体を通過し、
成形光学フィルムは、異方性の機械的特性を有する成形光学フィルムであって、前記成形光学フィルムは、第１の平面内に投影区域を有し、前記成形光学フィルムは、前記第１の平面の一方の側に配置されており、前記第１の平面は、前記成形光学フィルムと第２の平面との交差によって画定された任意の閉凸曲線によって境界されている、前記第２の平面の任意の領域の最大面積が、前記第２の平面が前記第１の平面に平行である場合に、最大となるようなものであり、前記投影区域が、重心、第１の軸に沿った長さ、及び、直交する第２の軸に沿った幅を有し、前記第１の軸及び前記第２の軸のそれぞれが、前記第１の平面内に配置され、前記重心を通るものであり、前記幅が、前記重心を通って、前記投影区域の境界上の対点を結ぶ、前記第１の平面内の任意の線分に沿った、最小長さであり、前記成形光学フィルムは、前記第１の軸に沿った、前記成形光学フィルムの、前記第１の平面からの最大変位と最小変位との差である、第１の最大サグを有し、前記成形光学フィルムは、前記第２の軸に沿った、前記成形光学フィルムの、前記第１の平面からの最大変位と最小変位との差である、第２の最大サグを有し、前記長さに対する前記第１の最大サグの第１の比率が、前記幅に対する前記第２の最大サグの第２の比率の、少なくとも１．０１倍であり、前記第２の比率が、少なくとも０．０５である、
光学システム。